(57)【特許請求の範囲】
【請求項１】
テレビジョン受像機の選局可能な複数のチャンネルをポジションごとに設定するチャンネル設定装置であって、
ポジションごとに当該ポジションに複数の後述する属性データを記録する第１の記録手段と、
１ポジション分の属性データおよび当該ポジションの番号を一時的に記録するための第２の記録手段と、
前記第１の記録手段におけるユーザにより選択された第１のポジションに記録されているすべての属性データおよび前記第１のポジションの番号を前記第２の記録手段にコピーした後、前記第１の記録手段におけるユーザにより選択された第２のポジションに記録されている属性データを後述する第１の入れ替えモードに従って前記第１の記録手段の前記第１のポジションにコピーし、その後、前記第２の記録手段に記録されている属性データを後述する第２の入れ替えモードに従って前記第１の記録手段の前記第２のポジションにコピーする制御手段とを備え、
属性データは、対応付けられたポジションが選択された場合に選局される選局チャンネル、および当該ポジションが選択された場合に表示される表示チャンネルを含み、
前記第１の入れ替えモードは、前記第２のポジションの番号と前記第２のポジションに記録されている選局チャンネルとが異なりかつ前記第２のポジションの番号と前記第２のポジションに記録されている表示チャンネルとが等しいという条件が満たされる場合にコピー後の表示チャンネルをコピー先である前記第１のポジションの番号に一致させる操作を行い、前記条件が満たされない場合にコピー後の表示チャンネルをコピー先である前記第１のポジションの番号に一致させる操作を行なわないモードであり、
前記第２の入れ替えモードは、前記第２の記録手段に記録されているポジションの番号と前記第２の記録手段に記録されている選局チャンネルとが異なりかつ前記ポジションの番号と前記第２の記録手段に記録されている表示チャンネルとが等しいという条件が満たされる場合にコピー後の表示チャンネルをコピー先である前記第２のポジションの番号に一致させる操作を行い、前記条件が満たされない場合にコピー後の表示チャンネルをコピー先である前記第２のポジションの番号に一致させる操作を行なわないモードであることを特徴とするチャンネル設定装置。
【請求項２】
ユーザにより入力された音声を認識して当該音声に対応する制御信号を出力する音声認識手段をさらに備え、
前記制御手段は、前記音声認識手段から出力される制御信号に応じて前記第１および第２の記録手段の書き込みおよび読み出し動作を制御することを特徴とする請求項１に記載のチャンネル設定装置。
【発明の詳細な説明】
【０００１】
【発明の属する技術分野】
本発明は、テレビジョン受像機の選局可能な複数のチャンネルをポジションごとに設定するチャンネル設定装置に関するものである。
【０００２】
【従来の技術】
従来、日本国内で使用されるテレビジョン受像機は、選局方式としてダイレクトポジション選局方式を採用するものが多い。このダイレクトポジション選局方式では、各チャンネルに対応するポジションが設定され、このポジションのうちの１つを選択することにより当該ポジションに対応するチャンネルが選局されるように構成されている。例えば、リモートコントロール装置の「８」を表すポジションボタンが押下されると、８番目のポジションに対応して記録されているチャンネルが選局され、当該チャンネルにより放送されている映像信号がテレビジョン受信機の表示画面に表示される。
【０００３】
テレビジョン受信機の選局可能な複数のチャンネルをポジションごとに設定する従来のチャンネル設定装置は、通常、テレビジョン受信機内部に具備され、ポジションごとに各チャンネルの属性データ、例えば、当該ポジションが選択された場合に選局されるチャンネル、当該ポジションが選択された場合に表示画面に表示される表示チャンネル等の複数のデータを記録している。
【０００４】
これらのチャンネルの属性データを修正する場合、テレビジョン受信機の表示画面にポジションごと一覧表示された属性データを見ながら、修正したい属性データを１つずつ選択し、選択した１つの属性データに対して修正を行うことができる。
【０００５】
また、既に記録されているデータを入れ替える装置としては、例えば、特開平８−１１５０９２号公報に開示される予約順番変更機能付きカラオケ装置がある。図１３は、上記の従来の予約順番変更機能付きカラオケ装置の構成を示すブロック図である。
【０００６】
図１３に示す予約順番変更機能付きカラオケ装置では、ＲＡＭ（ランダムアクセスメモリ）７０３の予約テーブルに、指定された複数のカラオケ曲が予約順に記録され、予約されたカラオケ曲の音声は、この予約順序に従い、音声再生回路７０４により、符号化された演奏データから楽曲音声信号に変換され、ミキサーアンプ７０９へ出力される。ミキサーアンプ７０９に出力された楽曲音声信号は、スピーカー７１０により外部に音声として出力される。また、映像再生回路７０８により、符号化された背景映像データおよび歌詞データが楽曲映像信号に変換され、テレビモニタ７１１へ出力される。
【０００７】
ここで、入力リモコン７０５に設けられたストップキーを押下した後に、続いてチェンジキーが押下されると、ＲＡＭ７０３の予約テーブルに記録されているカラオケ曲の順序が入れ替えられる。このような予約順番変更機能により予約だけはしたものの丁度そのときだけ手が離せない用事があって唄えない場合には、予約順番を変更することができ、用事が済んで戻ってきた場合に早めに再度自分の順番が回ってくるようにすることができる。
【０００８】
【発明が解決しようとする課題】
しかしながら、上記の従来のチャンネル設定装置では、ポジションごとに記録されているチャンネルの複数の属性データをチャンネル単位で入れ替える場合でも、属性データを１つずつ入れ替える必要があり、入れ替え操作が煩雑になっていた。
【０００９】
また、属性データの入れ替え時に既に記録されている属性データの上に新たな属性データを書き込むと、元の属性データが消えてしまい、元の属性データを他のポジションの属性データとして使用する場合、消された属性データをユーザが覚えておく必要があり、入れ替え時のユーザの負担が大きくなっていた。
【００１０】
また、上記の予約順番変更機能付きカラオケ装置では、予約テーブルに記録されているカラオケ曲の順序が単に入れ替えられるだけであり、入れ替えるデータが１つの項目だけではなく、複数の項目のデータを入れ替えることについては全く考慮されておらず、チャンネル単位で複数の属性データを入れ替える場合に、本装置の技術を適用することはできない。
【００１１】
本発明の目的は、ポジションごとに記録されているチャンネルの複数の属性データを容易に入れ替え等することができるチャンネル設定装置を提供することである。
【００１２】
【課題を解決するための手段】
（１）第１の発明
第１の発明に係るチャンネル設定装置は、テレビジョン受像機の選局可能な複数のチャンネルをポジションごとに設定するチャンネル設定装置であって、ポジションごとに当該ポジションに複数の後述する属性データを記録する第１の記録手段と、１ポジション分の属性データおよび当該ポジションの番号を一時的に記録するための第２の記録手段と、第１の記録手段におけるユーザにより選択された第１のポジションに記録されているすべての属性データおよび第１のポジションの番号を第２の記録手段にコピーした後、第１の記録手段におけるユーザにより選択された第２のポジションに記録されている属性データを後述する第１の入れ替えモードに従って第１の記録手段の第１のポジションにコピーし、その後、第２の記録手段に記録されている属性データを後述する第２の入れ替えモードに従って第１の記録手段の第２のポジションにコピーする制御手段とを備え、属性データは、対応付けられたポジションが選択された場合に選局される選局チャンネル、および当該ポジションが選択された場合に表示される表示チャンネルを含み、第１の入れ替えモードは、第２のポジションの番号と第２のポジションに記録されている選局チャンネルとが異なりかつ第２のポジションの番号と第２のポジションに記録されている表示チャンネルとが等しいという条件が満たされる場合にコピー後の表示チャンネルをコピー先である第１のポジションの番号に一致させる操作を行い、条件が満たされない場合にコピー後の表示チャンネルをコピー先である第１のポジションの番号に一致させる操作を行なわないモードであり、第２の入れ替えモードは、第２の記録手段に記録されているポジションの番号と第２の記録手段に記録されている選局チャンネルとが異なりかつポジションの番号と第２の記録手段に記録されている表示チャンネルとが等しいという条件が満たされる場合にコピー後の表示チャンネルをコピー先である第２のポジションの番号に一致させる操作を行い、条件が満たされない場合にコピー後の表示チャンネルをコピー先である第２のポジションの番号に一致させる操作を行なわないモードであることを特徴とするものである。
【００１３】
本発明に係るチャンネル設定装置においては、ポジションごとに当該ポジションに複数の属性データが第１の記録手段に記録されるとともに、第１の記録手段に記録されている１ポジション分の属性データおよび当該ポジションの番号を一時的に記録するための第２の記録手段が設けられ、第１および第２の記録手段の書き込みおよび読み出し動作が制御される。
【００１４】
したがって、第１の記録手段に記録されている複数の属性データをポジションごとに入れ替え等する際、一方のポジションの複数の属性データを他方のポジションに記録させる前に、他方のポジションの複数の属性データを第２の記録手段に一時的に記録することができる。この結果、一方のポジションの複数の属性データを第１の記録手段の他方のポジションに記録しても、他方のポジションの複数の属性データが第２の記録手段に記録されているので、第２の記録手段に記録されている他方のポジションの複数の属性データを第１の記録手段の一方のポジションに記録することができる。
【００１５】
このように、第２の記録手段は、１ポジション分の属性データを記録することができるので、ポジションごとに一括して複数の属性データを入れ替え等することができ、ユーザは各属性データごとに入れ替え操作等を行う必要がなくなる。また、ユーザは入れ替え等を行うポジションを指定するだけで複数の属性データをポジションごとに一括して入れ替え等することができるので、各ポジションの複数の属性データを覚えておく必要がなくなり、ユーザの負担を軽減することができる。この結果、ポジションごとに記録されているチャンネルの複数の属性データを容易に入れ替え等することができる。
また、選択されたポジションと当該ポジションに記録されている選局チャンネルとが異なりかつ選択されたポジションと当該ポジションに記録されている表示チャンネルとが等しい場合には、コピー後の表示チャンネルをコピー先のポジションに一致させる操作が行われる。一方、条件が満たされない場合には、コピー後の表示チャンネルをコピー先のポジションに一致させる操作が行なわれない。したがって、複数の属性データをユーザが使用しやすい状態に自動的に入れ替えることができる。
【００２７】
（２）第２の発明
第２の発明に係るチャンネル設定装置は、第１の発明に係るチャンネル設定装置の構成において、ユーザにより入力された音声を認識して当該音声に対応する制御信号を出力する音声認識手段をさらに備え、制御手段は、音声認識手段から出力される制御信号に応じて第１および第２の記録手段の書き込みおよび読み出し動作を制御するものである。
【００２８】
この場合、ユーザにより入力された音声を認識して当該音声に対応する制御信号を出力し、この制御信号に応じて第１および第２の記録手段の書き込みおよび読み出し動作を制御しているので、ユーザは所定の音声を発することにより所望のポジションの属性データを入れ替え等することができ、より容易に属性データの入れ替え操作等を行うことができる。
【００２９】
【発明の実施の形態】
以下、本発明の実施の形態および参考形態によるチャンネル設定装置について図面を参照しながら説明する。なお、以下の説明では、チャンネル設定装置の一例としてテレビジョン受像機に適用する場合について説明するが、表示画面を具備しないチューナー等の放送受信装置等にも、本発明を同様に適用することができる。
【００３０】
図１は、第１の参考形態によるチャンネル設定装置の構成を示すブロック図である。
【００３１】
図１に示すチャンネル設定装置は、チャンネルデータテーブル記憶用バッファ１０２、データ記憶用バッファ１０３、ＯＳＤ（オンスクリーン表示）制御部１０４、映像処理装置１０５、データ入れ替え装置１０６、リモコン信号処理装置１０７およびＣＲＴ（陰極線管）１０９を備える。
【００３２】
リモコン信号処理装置１０７は、データ入れ替え装置１０６と接続され、リモートコントロール装置（以下、リモコンと略す。図示省略）から送信されるリモコン信号１０８を受信し、受信したリモコン信号１０８がリモコンに具備される決定キー、上下キー等が操作されてチャンネルの属性データの入れ替え動作を行うための命令を表す場合、受信したリモコン信号１０８に応じた制御信号をデータ入れ替え装置１０６へ出力する。
【００３３】
データ入れ替え装置１０６は、リモコン信号処理装置１０７から出力される制御信号に応じてチャンネルデータテーブル記憶用バッファ１０２およびデータ記憶用バッファ１０３の書き込みおよび読み出し動作を制御する。
【００３４】
チャンネルデータテーブル記憶用バッファ１０２は、ポジションごとに各ポジションに対応付けられたチャンネルの複数の属性データ１〜ｎ（ｎは任意の整数）を記録し、図示の例では、ｍ個（ｍは任意の整数）のポジションに対してｎ個の属性データがテーブル形式で記録されている。
【００３５】
ここで、属性データは、ポジションに対応付けられたチャンネルに関するデータであり、例えば、当該ポジションが選択された場合に選局されるチャンネル、当該ポジションが選択された場合に表示画面に表示される表示チャンネル、当該チャンネルにより放送信号を送信する放送局、当該チャンネルの選局時のゴーストリダクションの有無を表すゴーストリダクション等がある。
【００３６】
データ記憶用バッファ１０３は、１ポジション分の属性データすなわちｎ個の属性データを記録可能な記憶容量を有し、データ入れ替え装置１０６の制御の下、チャンネルデータテーブル記憶用バッファ１０２の１つのポジションに対して記録されているのすべての属性データを一時的に記録する。なお、データ記憶用バッファ１０３の記憶容量は、少なくとも１ポジション分の属性データを記憶することができれば、これ以上の記憶容量であってもよく、複数ポジション分の記憶容量を有していてもよい。
【００３７】
ＯＳＤ制御部１０４は、チャンネルデータテーブル記憶用バッファ１０２に記録されているポジションごとの属性データをオンスクリーン表示するためのＲＧＢ信号を映像処理装置１０５へ出力する。
【００３８】
映像処理装置１０５は、映像信号１０１を受け、この映像信号１０１にＯＳＤ制御部１０４から出力されるＲＧＢ信号を重畳し、映像信号１０１に対応する映像の上にチャンネルデータテーブル記憶用バッファ１０２の各ポジションの属性データをオンスクリーン表示するためのＲＧＢ信号をＣＲＴ１０９へ出力する。
【００３９】
ＣＲＴ１０９は、映像処理装置１０５から出力されるＲＧＢ信号に応じて所定の映像およびオンスクリーン表示画面を表示する。
【００４０】
本参考形態では、チャンネルデータテーブル記憶用バッファ１０２が第１の記録手段に相当し、データ記憶用バッファ１０３が第２の記録手段に相当し、データ入れ替え装置１０６が制御手段に相当する。
【００４１】
次に、上記のように構成されたチャンネル設定装置の動作について説明する。
まず、ユーザがリモコンを用いてチャンネルデータテーブル記憶用バッファ１０２に記録されているすべてのポジションの属性データを一覧表示させるための指令を入力すると、当該指令を表すリモコン信号１０８がリモコン信号処理装置１０７へ送信され、リモコン信号処理装置１０７は受信したリモコン信号１０８に応じた制御信号をデータ入れ替え装置１０６へ出力する。
【００４２】
データ入れ替え装置１０６は、チャンネルデータテーブル記憶用バッファ１０２に記録しているすべての属性データをＯＳＤ制御部１０４へ出力するように指示し、ＯＳＤ制御部１０４は、ポジションごとに各属性データを一覧表に表示するためのＲＧＢ信号を映像処理装置１０５へ出力する。映像処理装置１０５は、このＲＧＢ信号を映像信号１０１に重畳し、ＣＲＴ１０９の表示画面にポジションごとに属性データを一覧表示する。
【００４３】
次に、ユーザがＣＲＴ１０９に表示されているチャンネルデータテーブル記憶用バッファ１０２に記憶されている属性データの一覧表を見ながら、リモコンを用いて入れ替え元となるポジションを選択すると、当該ポジションを表すリモコン信号１０８がリモコン信号処理装置１０７へ送信される。
【００４４】
リモコン信号処理装置１０７は、受信したリモコン信号１０８を解読し、選択されたポジションの番号を表す制御信号をデータ入れ替え装置１０６へ出力する。データ入れ替え装置１０６は、チャンネルデータテーブル記憶用バッファ１０２の中から選択されたポジションに対応して記録されているすべての属性データをデータ記憶用バッファ１０３にコピーする。
【００４５】
ここで、ＯＳＤ制御部１０４は、入れ替え元として選択されたポジションの属性データを表示している行の色を変更する等して、ユーザに対して選択されたポジションが視覚的にわかるようにしてもよい。
【００４６】
次に、ユーザがＣＲＴ１０９に表示されているチャンネルデータテーブル記憶用バッファ１０２の一覧表を見ながら、リモコンを用いて入れ替え先となる２つ目のポジションを選択すると、リモコンから選択されたポジションを表すリモコン信号１０８がリモコン信号処理装置１０７へ送信される。
【００４７】
リモコン信号処理装置１０７は、受信したリモコン信号１０８を解読し、選択された入れ替え先となるポジションの番号をデータ入れ替え装置１０６へ出力する。データ入れ替え装置１０６は、チャンネルデータテーブル記憶用バッファ１０２の入れ替え先として選択されたポジションに対応して記録されているすべての属性データを入れ替え元として選択されたポジションにコピーする。
【００４８】
次に、データ入れ替え装置１０６は、データ記憶用バッファ１０３に記録されているすべての属性データをチャンネルデータテーブル記憶用バッファ１０２の入れ替え先として選択されたポジションにコピーする。
【００４９】
この結果、ユーザにより入れ替え元として選択されたポジションのすべての属性データと入れ替え先として選択されたポジションのすべての属性データとが一括して入れ替えられる。
【００５０】
例えば、ユーザがチャンネルデータテーブル記憶用バッファ１０２のポジション１を入れ替え元として選択するとともに、ポジション２を入れ替え先として選択した場合、ポジション１のすべての属性データがデータ記憶用バッファ１０３にコピーされた後、ポジション２のすべての属性データがポジション１にコピーされる。その後、データ記憶用バッファ１０３に記録されているポジション１のすべての属性データがチャンネルデータテーブル記憶用バッファ１０２のポジション２にコピーされ、チャンネルデータテーブル記憶用バッファ１０２のポジション１とポジション２とのすべての属性データが一括して入れ替えられる。
【００５１】
このように、本参考形態では、ユーザは、入れ替え元のポジションと入れ替え先のポジションとを選択するという操作のみで複数の属性データを一括して入れ替えることができ、ポジションごとに記録されたチャンネルの複数の属性データを簡便な操作により容易に入れ替えることができる。
【００５２】
次に、第２の参考形態よるチャンネル設定装置について図面を参照しながら説明する。図２は、第２の参考形態によるチャンネル設定装置の構成を示すブロック図である。
【００５３】
図２に示すチャンネル設定装置は、チャンネルデータテーブル記憶用バッファ２０２、データ表示用バッファ２０３、データ記憶用バッファ２０４、ＯＳＤ表示管理部２０５、チャンネルデータテーブル表示装置２０６、バッファ表示装置２０７、映像処理装置２０８、データ入れ替え装置２０９、リモコン信号処理装置２１０およびＣＲＴ２１２を備える。
【００５４】
図２に示すチャンネルデータテーブル記憶用バッファ２０２、データ記憶用バッファ２０４、映像処理装置２０８、リモコン信号処理装置２１０およびＣＲＴ２１２は、図１に示すものと同様であるので詳細な説明を省略し、以下本参考形態の特徴となる部分についてのみ詳細に説明する。
【００５５】
データ入れ替え装置２０９は、リモコン信号処理装置２１０から出力される制御信号に応じてチャンネルデータテーブル記憶用バッファ２０２、データ表示用バッファ２０３およびデータ記憶用バッファ２０４の書き込みおよび読み出し動作を制御する。
【００５６】
データ表示用バッファ２０３は、１ポジション分の属性データすなわちｎ個の属性データを記録可能な記憶容量を有し、データ入れ替え装置１０６の制御の下、チャンネルデータテーブル記憶用バッファ２０２の１つのポジションに対して記録されているのすべての属性データをＣＲＴ２１２に表示するために一時的に記録する。なお、データ表示用バッファ２０３の記憶容量は、少なくとも１ポジション分の属性データを記憶することができれば、これ以上の記憶容量であってもよく、複数ポジション分の記憶容量を有していてもよい。
【００５７】
チャンネルデータテーブル表示装置２０６は、チャンネルデータテーブル記憶用バッファ２０２に記録されているポジションごとの属性データを一覧表示するためのＲＧＢ信号をＯＳＤ表示管理部２０５へ出力する。
【００５８】
バッファ表示装置２０７は、データ表示用バッファ２０３に記録されている１ポジション分の属性データを一覧表示するためのＲＧＢ信号をＯＳＤ表示管理部２０５へ出力する。
【００５９】
ＯＳＤ表示管理部２０５は、チャンネルデータテーブル表示装置２０６およびバッファ表示装置２０７から出力されるＲＧＢ信号を受け、チャンネルデータテーブル記憶用バッファ２０２およびデータ記憶用バッファ２０４に記録されている属性データをオンスクリーン表示するためのＲＧＢ信号を映像処理装置２０８へ出力する。
【００６０】
本参考形態では、チャンネルデータテーブル記憶用バッファ２０２が第１の記録手段に相当し、データ記憶用バッファ２０４が第２の記録手段に相当し、データ表示用バッファ２０３が第３の記録手段に相当し、データ入れ替え装置２０９が制御手段に相当し、チャンネルデータテーブル表示装置２０６およびＯＳＤ表示管理部２０５が第１の表示制御手段に相当し、バッファ表示装置２０７およびＯＳＤ表示管理部２０５が第２の表示制御手段に相当する。
【００６１】
次に、上記のように構成されたチャンネル設定装置の動作について説明する。
まず、ユーザがリモコンを用いてチャンネルデータテーブル記憶用バッファ２０２およびデータ表示用バッファ２０３に記録されているすべてのポジションの属性データを一覧表示させるための指令を入力すると、当該指令を表すリモコン信号２１１がリモコン信号処理装置２１０へ送信され、リモコン信号処理装置２１０は受信したリモコン信号２１１に応じた制御信号をデータ入れ替え装置２０９へ出力する。
【００６２】
データ入れ替え装置２０９は、チャンネルデータテーブル記憶用バッファ２０２に記録しているすべての属性データをチャンネルデータテーブル表示装置２０６へ出力するように指示するとともに、データ表示用バッファ２０３に記録しているすべての属性データをバッファ表示装置２０７へ出力するように指示する。
【００６３】
チャンネルデータテーブル表示装置２０６は、チャンネルデータテーブル記憶用バッファ２０２に記録されているポジションごとの各属性データを一覧表示するためのＲＧＢ信号をＯＳＤ表示管理部２０５へ出力するとともに、バッファ表示装置２０７は、データ表示用バッファ２０３に記録されているすべての属性データを一覧表示するためのＲＧＢ信号をＯＳＤ表示管理部２０５へ出力する。
【００６４】
ＯＳＤ制御部１０４は、チャンネルデータテーブル記憶用バッファ２０２およびデータ表示用バッファ２０３の各属性データをポジションごとに一覧表示するためのＲＧＢ信号を映像処理装置２０８へ出力する。映像処理装置２０８は、このＲＧＢ信号を映像信号２０１に重畳し、ＣＲＴ２１２の表示画面にチャンネルデータテーブル記憶用バッファ２０２およびデータ表示用バッファ２０３の各属性データがポジションごとに一覧表示される。
【００６５】
次に、ユーザがＣＲＴ２１２に表示されているチャンネルデータテーブル記憶用バッファ２０２の一覧表とデータ表示用バッファ２０３の一覧表とを見ながら、リモコンを用いてチャンネルデータテーブル記憶用バッファ２０２またはデータ表示用バッファ２０３から入れ替え元となるポジションを選択すると、当該ポジションを表すリモコン信号２１１がリモコン信号処理装置２１０へ送信される。
【００６６】
リモコン信号処理装置２１０は、受信したリモコン信号２１１を解読し、選択されたポジションの番号をデータ入れ替え装置２０９へ出力する。データ入れ替え装置２０９は、チャンネルデータテーブル記憶用バッファ２０２またはデータ表示用バッファ２０３の中から選択されたポジションに対応して記録されている属性データをデータ記憶用バッファ２０４にコピーする。
【００６７】
ここで、チャンネルデータテーブル表示装置２０６またはバッファ表示装置２０７は、入れ替え元として選択されたポジションの属性データを表示している行の色を変更する等して、ユーザに対して選択されたポジションが視覚的にわかるようにしてもよい。
【００６８】
次に、ユーザがＣＲＴ２１２に表示されているチャンネルデータテーブル記憶用バッファ２０２の一覧表とデータ表示用バッファ２０３の一覧表とを見ながら、リモコンを用いてチャンネルデータテーブル記憶用バッファ２０２またはデータ表示用バッファ２０３から入れ替え先となる２つ目のポジションを選択すると、リモコンから選択されたポジションを表すリモコン信号２１１がリモコン信号処理装置２１０へ送信される。
【００６９】
リモコン信号処理装置２１０は、受信したリモコン信号２１１を解読し、選択された入れ替え先となるポジションの番号をデータ入れ替え装置２０９へ出力する。データ入れ替え装置２０９は、チャンネルデータテーブル記憶用バッファ２０２またはデータ表示用バッファ２０３の入れ替え先として選択されたポジションに対応して記録されているすべての属性データを入れ替え元として選択されたポジションにコピーする。
【００７０】
次に、データ入れ替え装置２０９は、データ記憶用バッファ２０４に記録されているすべての属性データをチャンネルデータテーブル記憶用バッファ２０２またはデータ表示用バッファ２０３の入れ替え先として選択されたポジションにコピーする。
【００７１】
この結果、チャンネルデータテーブル記憶用バッファ２０２の一覧表とデータ表示用バッファ２０３の一覧表とを表示した状態で、ユーザにより入れ替え元として選択されたポジションのすべての属性データと入れ替え先として選択されたポジションのすべての属性データとが一括して入れ替えられる。
【００７２】
次に、上記の入れ替え動作の具体例として、例えば、チャンネルデータテーブル記憶用バッファ２０２のポジション１とポジション２との属性データを入れ替える場合について説明する。
【００７３】
まず、ユーザが入れ替え元となるチャンネルデータテーブル記憶用バッファ２０２のポジション１を選択するとともに、入れ替え先として属性データがまだ格納されていないデータ表示用バッファ２０３を選択すると、データ記憶用バッファ２０４を介してチャンネルデータテーブル記憶用バッファ２０２のポジション１の属性データとデータ表示用バッファ２０３の属性データとが入れ替えられる。この結果、チャンネルデータテーブル記憶用バッファ２０２のポジション１は空になり、データ表示用バッファ２０３にチャンネルデータテーブル記憶用バッファ２０２のポジション１の属性データが格納される。
【００７４】
次に、入れ替え元のポジションとしてチャンネルデータテーブル記憶用バッファ２０２のポジション１を選択するとともに、入れ替え先のポジションとしてチャンネルデータテーブル記憶用バッファ２０２のポジション２を選択すると、データ記憶用バッファ２０４を介してチャンネルデータテーブル記憶用バッファ２０２のポジション１とポジション２との属性データが入れ替えられる。この結果、チャンネルデータテーブル記憶用バッファ２０２のポジション１には元のポジション２の属性データが格納され、ポジション２は空になり、データ表示用バッファ２０３に元のポジション１のデータが格納されている。
【００７５】
最後に、ユーザが入れ替え元のポジションとしてチャンネルデータテーブル記憶用バッファ２０２のポジション２を選択するとともに、入れ替え先のポジションとしてデータ表示用バッファ２０３を選択すると、データ記憶用バッファ２０４を介してチャンネルデータテーブル記憶用バッファ２０２のポジション２の属性データとデータ表示用バッファ２０３の属性データとが入れ替えられる。この結果、チャンネルデータテーブル記憶用バッファ２０２のポジション１には元のポジション２の属性データが格納され、ポジション２は元のポジション１のデータが格納され、データ表示用バッファ２０３は空になり、ポジション１とポジション２とのデータの入れ替えが完了する。
【００７６】
上記のように、本参考形態では、ユーザは、ポジションごとにすべての属性データを一括して入れ替える際、すべてのポジションの属性データを見ながら、入れ替えを行うポジションを選択することができるので、容易に所望のポジションの属性データを入れ替えることができる。
【００７７】
次に、第３の参考形態によるチャンネル設定装置について図面を参照しながら説明する。図３は、第３の参考形態によるチャンネル設定装置の構成を示すブロック図である。
【００７８】
図３に示すチャンネル設定装置は、チャンネルデータテーブル記憶用バッファ３０２、データ記憶用バッファ３０３、ＯＳＤ制御部３０４、映像処理装置３０５、データ入れ替え制御部３０６およびデータ比較部３０７を含むデータ入れ替え装置３０８、リモコン信号処理装置３０９およびＣＲＴ３１１を備える。
【００７９】
図３に示すチャンネルデータテーブル記憶用バッファ３０２、データ記憶用バッファ３０３、ＯＳＤ制御部３０４、映像処理装置３０５、リモコン信号処理装置３０９およびＣＲＴ３１１は、図１に示すものと同様であるので詳細な説明を省略し、以下本参考形態の特徴的な部分についてのみ詳細に説明する。
【００８０】
データ比較部３０７は、ユーザがリモコン等を用いて入れ替える属性データとして設定した入れ替え属性データを記録し、チャンネルデータテーブル記憶用バッファ３０２のポジションに対応して記録されている属性データを入れ替える際に、記録している入れ替え属性データとチャンネルデータテーブル記憶用バッファ３０２またはデータ記憶用バッファ３０３から読み出した属性データとを比較し、比較結果をデータ入れ替え制御部３０６へ通知する。
【００８１】
データ入れ替え制御部３０６は、データ比較部３０７によりチャンネルデータテーブル記憶用バッファ３０２またはデータ記憶用バッファ３０３から読み出された属性データが入れ替え属性データであると判断された場合に、属性データの入れ替えを行うようにチャンネルデータテーブル記憶用バッファ３０２およびデータ記憶用バッファ３０３の書き込みおよび読み出し動作を制御する。
【００８２】
本参考形態では、チャンネルデータテーブル記憶用バッファ３０２が第１の記録手段に相当し、データ記憶用バッファ３０３が第２の記録手段に相当し、データ入れ替え制御部３０６およびデータ比較部３０７が制御手段に相当する。
【００８３】
次に、上記のように構成されたチャンネル設定装置の動作について説明する。
まず、ユーザが第１の参考形態と同様にしてＣＲＴ３１１に表示されているチャンネルデータテーブル記憶用バッファ３０２の一覧表を見ながら、リモコンを用いて入れ替え元となるポジションを選択すると、当該ポジションを表すリモコン信号３１０がリモコン信号処理装置３０９へ送信される。
【００８４】
リモコン信号処理装置３０９は、受信したリモコン信号３１０を解読し、選択されたポジションの番号を表す制御信号をデータ入れ替え制御部３０６へ出力する。データ入れ替え制御部３０６は、チャンネルデータテーブル記憶用バッファ３０２の中から選択されたポジションに対応して記録されているすべての属性データをデータ記憶用バッファ３０３にコピーする。
【００８５】
ここで、ＯＳＤ制御部３０４は、入れ替え元として選択されたポジションの属性データを表示している行の色を変更する等して、ユーザに対して選択されたポジションが視覚的にわかるようにしてもよい。
【００８６】
次に、ユーザがＣＲＴ３１１に表示されているチャンネルデータテーブル記憶用バッファ３０２の一覧表を見ながら、リモコンを用いて入れ替え先となる２つ目のポジションを選択すると、リモコンから選択されたポジションを表すリモコン信号３１０がリモコン信号処理装置３０９へ送信される。
【００８７】
リモコン信号処理装置３０９は、受信したリモコン信号３１０を解読し、選択された入れ替え先となるポジションの番号をデータ入れ替え制御部３０６へ出力する。データ入れ替え制御部３０６は、入れ替え先として選択されたポジションに対応して記録されているすべての属性データを順次読み出すようにチャンネルデータテーブル記憶用バッファ３０２に指示する。
【００８８】
データ比較部３０７は、チャンネルデータテーブル記憶用バッファ３０２から読み出された属性データと予めユーザにより設定された入れ替え属性データとを比較し、読み出された属性データが入れ替え属性データであるか否かすなわち入れ替えを行う属性データであるか否かを判断し、その結果をデータ入れ替え制御部３０６へ通知する。
【００８９】
データ入れ替え制御部３０６は、データ比較部３０７により入れ替えを行うべき属性データと判断された属性データのみが入れ替えられるようにすなわちチャンネルデータテーブル記憶用バッファ３０２の入れ替え先として選択されたポジションに記録されている属性データのうち入れ替え属性データであると判断された属性データをチャンネルデータテーブル記憶用バッファ３０２の入れ替え元のポジションにコピーする。
【００９０】
次に、データ入れ替え制御部３０６は、すべての属性データを順次読み出すようにデータ記憶用バッファ３０３に指示する。データ比較部３０７は、データ記憶用バッファ３０３から読み出された属性データが予めユーザにより設定されている入れ替え属性データであるか否かすなわち入れ替えを行うべき属性データであるか否かを判断し、その結果をデータ入れ替え制御部３０６へ通知する。
【００９１】
データ入れ替え制御部３０６は、データ比較部３０７により入れ替えを行うべきであると判断された属性データのみが入れ替えられるようにすなわちデータ記憶用バッファ３０３に記録されている属性データのうち入れ替え属性データであると判断された属性データをチャンネルデータテーブル記憶用バッファ３０２の入れ替え先として選択されたポジションにコピーする。
【００９２】
この結果、ユーザにより入れ替え元として選択されたポジションの属性データと入れ替え先として選択されたポジションの属性データとを入れ替える際、ユーザにより設定された入れ替え対象となる入れ替え属性データのみを入れ替えることができる。
【００９３】
次に、上記の入れ替え属性データとの比較によるポジションごとの属性データの入れ替え動作について具体例を挙げてさらに詳細に説明する。図４〜図７は、図３に示すチャンネル設定装置の属性データの入れ替え動作の具体例を説明するための第１〜第４の図である。
【００９４】
まず、図４に示すように、チャンネルデータテーブル記憶用バッファ３０２に複数の属性データが記録されている場合、ユーザが入れ替え元のポジションとしてポジション２を選択すると、ポジション２の各属性データがデータ記憶用バッファ３０３に記録され、図５に示すように各属性データがデータ記憶用バッファ３０３に記録される。
【００９５】
次に、ユーザが入れ替え先のポジションとしてポジション１を選択すると、データ比較部３０７によりポジション１の各属性データがユーザが設定した入れ替え属性データであるか否かが判断される。ここで、ユーザが入れ替え属性データとして、チャンネル、放送局およびゴーストリダクションを設定している場合、データ入れ替え制御部３０６により図４に示すポジション１の属性データのうちチャンネル、放送局およびゴーストリダクションの属性データ、すなわち「１」、「…」、「オン」の各属性データがポジション２に書き込まれる。
【００９６】
このとき、表示チャンネルは入れ替え属性データとして設定されていないので、表示チャンネルのデータは図４に示すポジション２の表示チャンネル、すなわち「２」がそのまま残され、表示チャンネルに関しては属性データの書き換えは行われない。この結果、チャンネルデータテーブル記憶用バッファ３０２に記録されている各属性データは、図６に示すようになる。すなわち、チャンネルデータテーブル記憶用バッファ３０２のポジション２のデータとして、「１」、「２」、「…」、「オン」の各データが記録される。
【００９７】
次に、データ入れ替え制御部３０６は、データ記憶用バッファ３０３に記録されている図５に示すポジション２の属性データを順次読み出し、データ比較部３０７は、読み出した属性データが入れ替え属性データであるか否かを判断する。この場合、チャンネル、放送局およびゴーストリダクションが入れ替え属性データとして設定されているため、図５に示す各属性データのうちチャンネル、放送局およびゴーストリダクション、すなわち「１９」、「テレビ大阪」および「オン」の各属性データがチャンネルデータテーブル記憶用バッファ３０２のポジション１に書き込まれ、表示チャンネルは入れ替えられない。
【００９８】
この結果、チャンネルデータテーブル記憶用バッファ３０２の各属性データは、図７に示すようになり、入れ替え属性データとして設定されていない表示チャンネルの属性データを入れ替えることなく、入れ替え属性データとして設定されているチャンネル、放送局およびゴーストリダクションの各属性データがポジション１とポジション２との間で入れ替えられる。
【００９９】
このようにして、本参考形態では、各ポジションに複数の属性データが記録されている場合でも、ユーザにより入れ替え対象として設定された入れ替え属性データのみを入れ替えることができ、複数の属性データのうちユーザの所望の属性データのみを入れ替えることができる。
【０１００】
次に、本発明の一実施の形態によるチャンネル設定装置について図面を参照しながら説明する。図８は、本発明の一実施の形態によるチャンネル設定装置の構成を示すブロック図である。
【０１０１】
図８に示すチャンネル設定装置は、チャンネルデータテーブル記憶用バッファ４０２、データ記憶用バッファ４０３、ＯＳＤ制御部４０４、映像処理装置４０５、データ入れ替え制御部４０６および入れ替えモード管理部４０７を含むデータ入れ替え装置４０８、リモコン信号処理装置４０９およびＣＲＴ４１１を備える。
【０１０２】
図８に示すチャンネルデータテーブル記憶用バッファ４０２、データ記憶用バッファ４０３、ＯＳＤ制御部４０４、映像処理装置４０５、リモコン信号処理装置４０９およびＣＲＴ４１１は、図１に示すものと同様であるので詳細な説明を省略し、以下本実施の形態の特徴的な部分についてのみ詳細に説明する。
【０１０３】
入れ替えモード管理部４０７は、ポジションごとの属性データの入れ替えの際の複数の入れ替え条件を複数の入れ替えモードとして予め記録し、ユーザが複数の入れ替え条件の中から選択した入れ替え条件を入れ替えモードとしてデータ入れ替え制御部４０６へ通知する。この入れ替え条件は、例えば、メーカーがユーザが入れ替え条件として使用する種々の条件を入れ替えモードとして入れ替えモード管理部４０７に予め製造時に記録させている条件であり、ユーザが複数の入れ替え条件の中から所望の入れ替え条件を入れ替えモードとして選択することができる。
【０１０４】
データ入れ替え制御部４０６は、リモコン信号処理装置４０９から出力される制御信号および入れ替えモード管理部４０７により決定された入れ替えモードに応じてチャンネルデータテーブル記憶用バッファ４０２およびデータ記憶用バッファ４０３の書き込みおよび読み出し動作を制御する。
【０１０５】
本実施の形態では、チャンネルデータテーブル記憶用バッファ４０２が第１の記録手段に相当し、データ記憶用バッファ４０３が第２の記録手段に相当し、データ入れ替え制御部４０６および入れ替えモード管理部４０７が制御手段に相当する。
【０１０６】
次に、上記のように構成されたチャンネル設定装置の動作について説明する。
まず、ユーザが第１の参考形態と同様にしてＣＲＴ４１１に表示されているチャンネルデータテーブル記憶用バッファ４０２の一覧表を見ながら、リモコンを用いて入れ替え元となるポジションを選択すると、当該ポジションを表すリモコン信号４１０がリモコン信号処理装置４０９へ送信される。
【０１０７】
リモコン信号処理装置４０９は、受信したリモコン信号４１０を解読し、選択されたポジションの番号をデータ入れ替え制御部４０６へ出力する。データ入れ替え制御部４０６は、チャンネルデータテーブル記憶用バッファ４０２の中から選択されたポジションに対応して記録されているすべての属性データをデータ記憶用バッファ４０３にコピーする。
【０１０８】
ここで、ＯＳＤ制御部４０４は、入れ替え元として選択されたポジションの属性データを表示している行の色を変更する等して、ユーザに対して選択されたポジションが視覚的にわかるようにしてもよい。
【０１０９】
次に、ユーザがＣＲＴ４１１に表示されているチャンネルデータテーブル記憶用バッファ４０２の一覧表を見ながら、リモコンを用いて入れ替え先となる２つ目のポジションを選択すると、リモコンから選択されたポジションを表すリモコン信号４１０がリモコン信号処理装置４０９へ送信される。
【０１１０】
リモコン信号処理装置４０９は、受信したリモコン信号４１０を解読し、選択された入れ替え先となるポジションの番号をデータ入れ替え制御部４０６へ出力する。
【０１１１】
このとき、ユーザが複数の入れ替えモードの中から所望の入れ替えモードを選択し、入れ替えモードが設定されている場合、入れ替えモード管理部４０７は、ユーザにより選択されている入れ替えモードに対応する入れ替え条件をデータ入れ替え制御部４０６へ通知する。データ入れ替え制御部４０６は、入れ替えモード管理部４０７により通知された入れ替え条件に従い、チャンネルデータテーブル記憶用バッファ４０２の入れ替え先として選択されたポジションの属性データを入れ替え元として選択されたポジションにコピーする。
【０１１２】
次に、データ入れ替え制御部４０６は、入れ替えモード管理部４０７により通知された入れ替え条件に従い、データ記憶用バッファ４０３に記録されている属性データをチャンネルデータテーブル記憶用バッファ４０２の入れ替え先として選択されたポジションにコピーする。
【０１１３】
この結果、メーカーにより予め設定された複数の入れ替えモードの中からユーザが選択した入れ替えモードすなわち入れ替え条件に従い、ユーザにより選択された入れ替え元および入れ替え先のポジションの属性データが入れ替えられる。
【０１１４】
次に、上記の入れ替えモードに従ったポジションごとの属性データの入れ替え動作について具体例を挙げてさらに詳細に説明する。図９および図１０は、図８に示すチャンネル設定装置による入れ替えモードに従ったポジションごとの属性データの入れ替え動作の具体例を説明するための第１および第２の図である。
【０１１５】
まず、第３の参考形態と同様に、図４に示すような属性データがチャンネルデータテーブル記憶用バッファ４０２に記録されている場合、ユーザが入れ替え元のポジションとしてポジション２を選択すると、図５に示すように各属性データがデータ記憶用バッファ４０３に記録される。
【０１１６】
ここで、入れ替えモードとして、例えば、ポジションとチャンネルとが異なり、かつ、ポジションと表示チャンネルとが等しい場合に、入れ替え後もポジションと表示チャンネルとを等しくするという入れ替え条件が入れ替えモード管理部４０７により設定されているものとする。
【０１１７】
この場合、ユーザが入れ替え先のポジションとしてチャンネルデータテーブル記憶用バッファ４０２のポジション１を選択すると、入れ替えモード管理部４０７は、上記の入れ替え条件をデータ入れ替え制御部４０６へ通知する。データ入れ替え制御部４０６は、上記の入れ替え条件に従い、ポジション１の属性データをポジション２にコピーする。すなわち、ポジション１ではポジションとチャンネルとが一致しているため、上記の入れ替え条件に適合せず、ポジション１に対応して記録されているすべての属性データがポジション２にコピーされ、チャンネルデータテーブル記憶用バッファ４０２に記録される属性データは、図９に示すようになる。
【０１１８】
次に、データ入れ替え制御部４０６は、上記の入れ替え条件に従い、データ記憶用バッファ４０３に記録されている属性データをチャンネルデータテーブル記憶用バッファ４０２のポジション１にコピーする。
【０１１９】
ここで、図５に示すように、データ記憶用バッファ４０３の属性データは、ポジションとチャンネルが異なり、かつ、ポジションと表示チャンネルが等しいため、上記の入れ替え条件に適合している。したがって、データ入れ替え制御部４０６は、ポジションと表示チャンネルとが等しくなるように、データ記憶用バッファ４０３の属性データをチャンネルデータテーブル記憶用バッファ４０２のポジション１にコピーする。
【０１２０】
すなわち、コピー後のポジション１に対して表示チャンネルが等しくなるようにするため、データ記憶用バッファ４０３に記録されている表示チャンネルである「２」を「１」に変更し、その他の属性データはそのままにして、データ記憶用バッファ４０３の各属性データをチャンネルデータテーブル記憶用バッファ４０２のポジション１にコピーする。
【０１２１】
この結果、図１０に示すように、チャンネルデータテーブル記憶用バッファ４０２のポジション１の表示チャンネルが「１」に変更され、その他の属性データとして元のポジション２の各属性データがそのまま格納される。
【０１２２】
このようにして、本実施の形態では、予め設定された入れ替えモードすなわち入れ替え条件に従い、複数の属性データをユーザが使用しやすい状態に自動的に入れ替えることができる。
【０１２３】
次に、第４の参考形態によるチャンネル設定装置について図面を参照しながら説明する。図１１は、第４の参考形態によるチャンネル設定装置の構成を示すブロック図である。
【０１２４】
図１１に示すチャンネル設定装置は、チャンネルデータテーブル記憶用バッファ５０２、データ記憶用バッファ５０３、ＯＳＤ制御部５０４、映像処理装置５０５、データ上書き装置５０６、リモコン信号処理装置５０７およびＣＲＴ５０９を備える。
【０１２５】
図１１に示すチャンネルデータテーブル記憶用バッファ５０２、データ記憶用バッファ５０３、ＯＳＤ制御部５０４、映像処理装置５０５、リモコン信号処理装置５０７およびＣＲＴ５０９は、図１に示すものと同様であるので詳細な説明を省略し、以下本参考形態の特徴的な部分についてのみ詳細に説明する。
【０１２６】
データ上書き装置５０６は、リモコン信号処理装置５０７からユーザにより選択された上書き元および上書き先のポジションの番号を表す制御信号を受け、上書き元のポジションのすべての属性データを上書き先のポジションに上書きするようにチャンネルデータテーブル記憶用バッファ５０２およびデータ記憶用バッファ５０３の書き込みおよび読み出し動作を制御する。
【０１２７】
本参考形態では、チャンネルデータテーブル記憶用バッファ５０２が第１の記録手段に相当し、データ記憶用バッファ５０３が第２の記録手段に相当し、データ上書き装置５０６が制御手段に相当する。
【０１２８】
次に、上記のように構成されたチャンネル設定装置の動作について説明する。
まず、ユーザが第１の参考形態と同様にしてＣＲＴ５０９に表示されているチャンネルデータテーブル記憶用バッファ５０２の一覧表を見ながら、リモコンを用いて上書き元となるポジションを選択すると、当該ポジションを表すリモコン信号５０８がリモコン信号処理装置５０７へ送信される。
【０１２９】
リモコン信号処理装置５０７は、受信したリモコン信号５０８を解読し、選択されたポジションの番号を表す制御信号をデータ上書き装置５０６へ出力する。データ上書き装置５０６は、チャンネルデータテーブル記憶用バッファ５０２の中から選択されたポジションに対応して記録されているすべての属性データをデータ記憶用バッファ５０３にコピーする。
【０１３０】
ここで、ＯＳＤ制御部５０４は、上書き元として選択されたポジションの属性データを表示している行の色を変更する等して、ユーザに対して選択されたポジションが視覚的にわかるようにしてもよい。
【０１３１】
次に、ユーザがＣＲＴ５０９に表示されているチャンネルデータテーブル記憶用バッファ５０２の一覧表を見ながら、リモコンを用いて上書き先となる２つ目のポジションを選択すると、リモコンから選択されたポジションを表すリモコン信号５０８がリモコン信号処理装置５０７へ送信される。
【０１３２】
リモコン信号処理装置５０７は、受信したリモコン信号５０８を解読し、選択された上書き先となるポジションの番号をデータ上書き装置５０６へ出力する。データ上書き装置５０６は、上書き先として選択されたポジションにデータ記憶用バッファ５０３に記録しているすべての属性データをコピーし、上書き元のポジションのすべての属性データが上書きの先のポジションに一括して上書きされる。
【０１３３】
このように、本参考形態では、ユーザが上書き元のポジションと上書きの先のポジションとを選択するという操作のみで複数の属性データを一括して上書きすることができ、上書き操作をより簡便なものにすることができる。
【０１３４】
次に、第５の参考形態によるチャンネル設定装置について図面を参照しながら説明する。図１２は、第５の参考形態によるチャンネル設定装置の構成を示すブロック図である。
【０１３５】
図１２に示すチャンネル設定装置は、チャンネルデータテーブル記憶用バッファ６０２、データ記憶用バッファ６０３、ＯＳＤ制御部６０４、映像処理装置６０５、データ入れ替え装置６０６、リモコン信号変換装置６０７、音声認識装置６０８およびＣＲＴ６１０を備える。
【０１３６】
図１２に示すチャンネルデータテーブル記憶用バッファ６０２、データ記憶用バッファ６０３、ＯＳＤ制御部６０４、映像処理装置６０５、データ入れ替え装置６０６およびＣＲＴ６１０は、図１に示すものと同様であるので詳細な説明を省略し、以下本参考形態の特徴的な部分についてのみ詳細に説明する。
【０１３７】
音声認識装置６０８は、ユーザが発生した音声を受け、当該音声を認識して当該音声により指令される内容を表すリモコン信号をリモコン信号変換装置６０７へ出力する。リモコン信号変換装置６０７は、音声認識装置６０８から出力されるリモコン信号を解読し、解読した内容を表す制御信号をデータ入れ替え装置６０６へ出力する。
【０１３８】
本参考形態では、チャンネルデータテーブル記憶用バッファ６０２が第１の記録手段に相当し、データ記憶用バッファ６０３が第２の記録手段に相当し、データ入れ替え装置６０６が制御手段に相当し、リモコン信号変換装置６０７および音声認識装置６０８が音声認識手段に相当する。
【０１３９】
次に、上記のように構成されたチャンネル設定装置の動作について説明する。
まず、ユーザが第１の参考形態と同様にしてＣＲＴ６１０に表示されているチャンネルデータテーブル記憶用バッファ６０２の一覧表を見ながら、入れ替え元となるポジションを選択するために、例えば、当該ポジションを音声６０９により発声すると、音声認識装置６０８は、音声６０９を認識して当該ポジションを表すリモコン信号をリモコン信号変換装置６０７へ出力する。
【０１４０】
リモコン信号変換装置６０７は、ユーザにより入れ替え元として選択されたポジションの番号を表す制御信号をデータ入れ替え装置６０６へ出力する。以降、第１の参考形態と同様に、データ入れ替え装置６０６により、ユーザにより入れ替え元として選択されたチャンネルデータテーブル記憶用バッファ６０２のポジションの属性データがデータ記憶用バッファ６０３にコピーされる。
【０１４１】
次に、ユーザがＣＲＴ６１０に表示されているチャンネルデータテーブル記憶用バッファ６０２の一覧表を見ながら、入れ替え先となるポジションを選択するために、例えば、当該ポジションを音声６０９により発声すると、音声認識装置６０８は、音声６０９を認識し、当該ポジションを指定するためのリモコン信号をリモコン信号変換装置６０７へ出力する。
【０１４２】
リモコン信号変換装置６０７は、ユーザにより入れ替え先として選択されたポジションの番号を表す制御信号をデータ入れ替え装置６０６へ出力する。以降、第１の参考形態と同様に、データ入れ替え装置６０６により、チャンネルデータテーブル記憶用バッファ６０２の入れ替え先のポジションのすべての属性データが入れ替え元のポジションにコピーされ、その後、データ記憶用バッファ６０３に記録されているすべての属性データがチャンネルデータテーブル記憶用バッファ６０２の入れ替え先のポジションにコピーされ、入れ替え元および入れ替え先のポジションの複数の属性データが一括して入れ替えられる。
【０１４３】
このように、本参考形態では、ユーザは所定の音声を発することにより所望のポジションの属性データを入れ替えることができ、より容易に属性データの入れ替え操作を行うことができる。
【０１４４】
なお、上記の音声認識によるポジション等の入力は、本参考形態以外の他の参考形態にも同様に適用することができ、同様の効果を得ることができる。
【０１４５】
【発明の効果】
本発明によれば、第２の記録手段に第１の記録手段に記録されている１ポジション分の属性データを一時的に記録することにより、ユーザは入れ替え等を行うポジションを指定するだけで複数の属性データをポジションごとに一括して入れ替え等することができるので、各ポジションの複数の属性データを覚えておく必要がなくなり、ユーザの負担を軽減することができ、ポジションごとに記録されているチャンネルの複数の属性データを容易に入れ替え等することができる。
【図面の簡単な説明】
【図１】  第１の参考形態によるチャンネル設定装置の構成を示すブロック図
【図２】  第２の参考形態によるチャンネル設定装置の構成を示すブロック図
【図３】  第３の参考形態によるチャンネル設定装置の構成を示すブロック図
【図４】  図３に示すチャンネル設定装置の属性データの入れ替え動作の具体例を説明するための第１の図
【図５】  図３に示すチャンネル設定装置の属性データの入れ替え動作の具体例を説明するための第２の図
【図６】  図３に示すチャンネル設定装置の属性データの入れ替え動作の具体例を説明するための第３の図
【図７】  図３に示すチャンネル設定装置の属性データの入れ替え動作の具体例を説明するための第４の図
【図８】  本発明の一実施の形態によるチャンネル設定装置の構成を示すブロック図
【図９】  図８に示すチャンネル設定装置による入れ替えモードに従ったポジションごとの属性データの入れ替え動作の具体例を説明するための第１の図
【図１０】  図８に示すチャンネル設定装置による入れ替えモードに従ったポジションごとの属性データの入れ替え動作の具体例を説明するための第２の図
【図１１】  第４の参考形態によるチャンネル設定装置の構成を示すブロック図
【図１２】  第５の参考形態によるチャンネル設定装置の構成を示すブロック図
【図１３】  従来の予約順番変更機能付きカラオケ装置の構成を示すブロック図
【図１】
0004676601.tif 000002
【図２】
0004676601.tif 000003
【図３】
0004676601.tif 000004
【図４】
0004676601.tif 000005
【図５】
0004676601.tif 000006
【図６】
0004676601.tif 000007
【図７】
0004676601.tif 000008
【図８】
0004676601.tif 000009
【図９】
0004676601.tif 000010
【図１０】
0004676601.tif 000011
【図１１】
0004676601.tif 000012
【図１２】
0004676601.tif 000013
【図１３】
0004676601.tif 000014